(57)【要約】【課題】簡単で信頼性が高く、かつローコストな構成で、経時変化により除去性能が低下しない撮像装置用の異物除去装置を提供する。【解決手段】撮像レンズ１８は、異物除去制御時に、駆動モータ２１によって後端位置Ｓ２と弁開放位置Ｓ３の間で往復移動される。この往復動作により、押圧ピン６０は逆流防止弁５５を開閉させ、摩擦部材６１は、収容部材５０に摺接して静電気を発生させる。更に、この往復移動によりレンズ鏡筒３６が振動し、内壁面等に付着していた異物が移動する。異物は、静電気によって吸引され、開口部５１から取り込まれて収容部５２に収容される。【選択図】図２
2008147775.tif 000002
【特許請求の範囲】
【請求項１】
撮像光学系と、前記撮像光学系によって結像された画像を撮像する撮像手段を備える撮像装置に用いられ、前記撮像光学系の光路内から異物を除去する異物除去方法において、
前記光路を形成する壁面の少なくとも一部に静電気を発生させ、前記異物を吸着させることを特徴とする異物除去方法。
【請求項２】
撮像光学系と、前記撮像光学系によって結像された画像を撮像する撮像手段を備える撮像装置に用いられ、前記撮像光学系の光路内から異物を除去する異物除去方法において、
前記光路内と光路外とを結ぶ通路内で負圧を発生させ、前記光路内の異物を吸引して排出することを特徴とする異物除去方法。
【請求項３】
撮像光学系と、前記撮像光学系によって結像された画像を撮像する撮像手段を備える撮像装置に用いられ、前記撮像光学系の光路内から異物を除去する異物除去装置において、
前記撮像光学系の光路を形成する壁面の少なくとも一部に静電気を発生させて前記異物を吸着させる静電気発生手段を備えることを特徴とする異物除去装置。
【請求項４】
前記壁面に、前記光路内の異物を取り込む開口部と、前記開口部から取り込まれた異物を収容する収容部を設け、
前記静電気発生手段は、前記収容部に静電気を発生させることを特徴とする請求項３記載の異物除去装置。
【請求項５】
前記静電気発生手段は、前記収容部が設けられた収容部材に当接される摩擦部材と、
前記摩擦部材を往復移動させる往復移動機構を備えることを特徴とする請求項４記載の異物除去装置。
【請求項６】
前記開口部を開閉して前記光路内への異物の逆流を防止する逆流防止弁と、
前記逆流防止弁を駆動する逆流防止弁駆動手段を備えることを特徴とする請求項５記載の異物除去装置。
【請求項７】
前記往復移動機構は、前記逆流防止弁駆動手段を兼用し、前記収容部への静電気の発生と、前記逆流防止弁の開閉を同時に行なうことを特徴とする請求項６記載の異物除去装置。
【請求項８】
前記壁面に振動を与える振動手段を備えることを特徴とする請求項５〜７いずれか記載の異物除去装置。
【請求項９】
前記往復移動機構は、前記振動手段を兼用し、前記収容部への静電気の発生と、前記壁面への振動付与を同時に行なうことを特徴とする請求項８記載の異物除去装置。
【請求項１０】
前記往復移動機構として、前記撮像光学系を駆動する光学系駆動機構を用いることを特徴とする請求項５〜９いずれか記載の異物除去装置。
【請求項１１】
前記光学系駆動機構が非撮影時に前記往復移動機構として動作するように制御する制御手段を備えることを特徴とする請求項１０記載の異物除去装置。
【請求項１２】
撮像光学系と、前記撮像光学系によって結像された画像を撮像する撮像手段を備える撮像装置に用いられ、前記撮像光学系の光路内から異物を除去する異物除去装置において、
前記撮像光学系の光路を形成する壁面に設けられ、前記光路内の異物を取り込む開口部と、
前記開口部から取り込まれた異物を収容する収容部と、
前記収容部に収容された異物を前記光路の外に排出する排出部と、
前記収容部に負圧を発生させて前記光路内の異物を吸引させる負圧発生手段を備えることを特徴とする異物除去装置。
【請求項１３】
前記負圧発生手段は、前記排出部を開閉し、その開放時に前記収容部内に負圧を発生する負圧弁と、
前記負圧弁を駆動する負圧弁駆動機構を備えることを特徴とする請求項１２記載の異物除去装置。
【請求項１４】
前記開口部を開閉して前記光路内への異物の逆流を防止する逆流防止弁と、
前記逆流防止弁を駆動する逆流防止弁駆動手段を備えることを特徴とする請求項１３記載の異物除去装置。
【請求項１５】
前記負圧弁駆動機構は、前記逆流防止弁駆動手段を兼用し、前記収容部への負圧の発生と、前記逆流防止弁の開閉を同時に行なうことを特徴とする請求項１４記載の異物除去装置。
【請求項１６】
前記壁面に振動を与える振動手段を備えることを特徴とする請求項１２〜１５いずれか記載の異物除去装置。
【請求項１７】
前記負圧弁駆動機構は、前記振動手段を兼用し、前記収容部への負圧の発生と、前記壁面への振動付与を同時に行なうことを特徴とする請求項１６記載の異物除去装置。
【請求項１８】
前記負圧弁駆動機構として、前記撮像光学系を駆動する光学系駆動機構を用いることを特徴とする請求項１３〜１７いずれか記載の異物除去装置。
【請求項１９】
前記光学系駆動機構が非撮影時に前記負圧弁駆動機構として動作するように制御する制御手段を備えることを特徴とする請求項１８記載の異物除去装置。
【発明の詳細な説明】
【技術分野】
【０００１】
本発明は、撮像装置の光路内に存在する異物を除去する方法及び装置に関する。
【背景技術】
【０００２】
撮像光学系によって結像された被写体像をＣＣＤ等の撮像素子を用いて撮像する撮像装置の場合、撮像光学系の光路内、特に撮像素子の受光面近傍（例えば、撮像素子の封止ガラスの表面等）に塵埃を含む異物が付着すると、撮像した画像にシミ状の特異点が発現するという問題がある。
【０００３】
上記問題を解決するため、従来の撮像装置では、撮像光学系の光路の密閉性を高めたり（例えば、特許文献１、２参照）、光路内に異物捕獲用の粘着材を配置（例えば、特許文献３、４参照）する等して、封止ガラスの表面等に異物が付着するのを防止している。
【特許文献１】特開平０６−０３４９０１号公報
【特許文献２】特開平０８−１３６９８２号公報
【特許文献３】特開２００５−０９２０９６号公報
【特許文献４】特開２００５−２７８０３４号公報
【発明の開示】
【発明が解決しようとする課題】
【０００４】
しかしながら、例えばズームレンズのように撮像光学系に多くの可動部を有する撮像装置の場合、光路の密閉性を高めるのはきわめて難しく、構成が複雑になるという欠点がある。
【０００５】
また、光路内に粘着材を配置して異物を捕獲する場合、粘着材が経時変化して粘着力を失うため、異物の捕獲能力が低下するという問題がある。
【０００６】
本発明は、簡単で信頼性が高く、かつローコストな構成で、経時変化により異物の除去性能が低下しない異物除去装置を提供する。
【課題を解決するための手段】
【０００７】
上記課題を解決するために本発明の異物除去方法は、撮像光学系と、この撮像光学系によって結像された画像を撮像する撮像手段を備える撮像装置において、撮像光学系の光路を形成する壁面の少なくとも一部に静電気を発生させて異物を吸着させるようにしたものである。また、静電気に代えて、光路内外を結ぶ通路内で負圧を発生させて異物を吸引してもよい。
【０００８】
また、本発明の異物除去装置は、撮像光学系の光路を形成する壁面の少なくとも一部に静電気を発生させて異物を吸着させる静電気発生手段を設けたものである。更に、光路内の壁面に異物を取り込む開口部と、開口部から取り込まれた異物を収容する収容部を設け、静電気発生手段によって前記収容部に静電気を発生させるようにしたものである。
【０００９】
静電気発生手段としては、収容部が設けられた収容部材に当接される摩擦部材と、摩擦部材を往復移動させる往復移動機構から構成したものである。
【００１０】
また、開口部を開閉して光路内への異物の逆流を防止する逆流防止弁と、逆流防止弁を駆動する逆流防止弁駆動手段を備えることが好ましい。更に、この逆流防止弁駆動手段を往復移動機構と兼用させ、収容部への静電気の発生と、逆流防止弁の開閉を同時に行なうことが好ましい。
【００１１】
また、光路内の壁面に振動を与える振動手段を備えることが好ましい。更に、振動手段を往復移動機構と兼用させ、収容部への静電気の発生と、壁面への振動付与を同時に行なうことが好ましい。
【００１２】
また、摩擦部材を移動させる往復移動機構としては、撮像光学系を駆動する光学系駆動機構を用いることが好ましい。光学駆動機構としては、例えば撮像光学系を光軸方向や回転方向等に移動させる機構が用いられる。更に、光学駆動機構が非撮影時に往復移動機構として動作するように制御する制御手段を設けることが好ましい。
【００１３】
本発明の別の異物除去装置は、光路を形成する壁面に異物を取り込む開口部と、開口部から取り込まれた異物を収容する収容部と、収容部に収容された異物を光路の外に排出する排出部を設け、収容部に負圧を発生させて光路内の異物を吸引させる負圧発生手段を備えるものである。また、負圧発生手段としては、排出部を開閉し、その開放時に収容部内に負圧を発生する負圧弁と、負圧弁を駆動する負圧弁駆動機構から構成したものである。
【００１４】
また、開口部を開閉して光路内への異物の逆流を防止する逆流防止弁と、逆流防止弁を駆動する逆流防止弁駆動手段を設けることが好ましい。更に、逆流防止弁駆動手段は、負圧弁駆動機構と兼用し、収容部への負圧の発生と、逆流防止弁の開閉を同時に行なうことが好ましい。
【００１５】
また、光路内の壁面に振動を与える振動手段を設けることが好ましい。更に、振動手段は、負圧弁駆動機構と兼用し、収容部への負圧の発生と、壁面への振動付与を同時に行なうことが好ましい。
【００１６】
また、負圧弁駆動機構として、撮像光学系を駆動する光学系駆動機構を用いることが好ましい。光学駆動機構としては、例えば撮像光学系を光軸方向や回転方向等に移動させる機構が用いられる。更に、光学系駆動機構が非撮影時に負圧弁駆動機構として動作するように制御する制御手段を設けることが好ましい。
【発明の効果】
【００１７】
本発明の異物除去方法によれば、光路内で静電気や負圧を発生させて異物を吸引、除去するようにしたので、粘着材のように経時変化による性能劣化が少なく、継続的に異物の除去を行なうことができる。
【００１８】
また、本発明の異物除去装置によれば、静電気発生手段によって静電気を発生させ、または負圧発生手段によって負圧を発生させるようにしたので、粘着材のように経時変化による性能劣化が少なく、継続的に異物の除去を行なうことができる。更に、異物を開口部から取り込んで収容部に収容するようにしたので、光路内の異物を効果的に集めることができる。
【００１９】
また、静電気発生手段は、摩擦部材と収容部材との摩擦によって静電気を発生させるという簡単な構造であるため、小形、ローコストであり、高い動作信頼性を得ることができる。同様に、負圧発生手段は、負圧弁の開放によって負圧を発生させるという簡単な構造であるため、やはり、小形、ローコストであり、高い動作信頼性を得ることができる。
【００２０】
また、開口部を開閉する逆流防止弁を設けたので、集めた異物が光路内に逆流するのを防止することができる。更に、逆流防止弁を駆動する駆動機構を往復移動機構や負圧弁駆動機構と兼用するようにしたので、小型化、ローコスト化を図ることができる。
【００２１】
また、光路の平面を振動させる振動手段を設けたので、壁面に付着した異物を落として集めやすくすることができる。更に、振動手段を往復移動機構や負圧弁駆動機構と兼用するようにしたので、小型化、ローコスト化を図ることができる。
【００２２】
また、往復移動機構は、光学系駆動機構と兼用するようにしたので、更なる小型化、ローコスト化を図ることができる。なお、光学駆動機構は、撮像光学系を光軸方向や、回転方向等に移動する機構であり、その構成等は限定されない。更に、光学系駆動機構が非撮影時に往復移動機構として動作するように制御する制御手段を設けたので、撮影時に異物除去が行なわれて支障をきたすことはない。
【発明を実施するための最良の形態】
【００２３】
図１に示すように、本発明の異物除去装置を用いたデジタルカメラ２は、撮影等の各種操作を行なう操作部３と、撮像を行なう撮像部４と、撮像部４から出力された撮像信号を処理する信号処理部５と、撮影した画像を表示する表示部６と、撮影した画像を記憶する記憶部７と、各部を制御する制御部８を備えている。
【００２４】
操作部３は、例えば、デジタルカメラ２の電源のオン／オフを切り替える電源スイッチ１１と、撮影時に操作されるレリーズスイッチ１２と、撮影を行なう撮影モードと撮影済みの画像を再生する再生モードの間で切り替えを行なうモードスイッチ１３と、各種設定操作を行なう設定スイッチ１４等を備えている。レリーズスイッチ１２は、例えば押圧式のスイッチであり、押圧ストロークの半分程度まで押圧される半押し操作と、押圧ストロークまで押圧される全押し操作を識別する。これらのスイッチ１１〜１４の操作信号は制御部８のＣＰＵ１５に入力される。
【００２５】
撮像部４は、撮像光学系を構成する撮像レンズ１８と、この撮像レンズ１８によって結像された画像を撮像する撮像手段であるＣＣＤ１９と、撮像レンズ１８を光軸Ｓ方向で移動させる光学系駆動機構２０を備えている。ＣＣＤ１９は、撮像レンズ１８によって結像された画像を撮像し、アナログの撮像信号に変換して出力する。光学系駆動機構２０は、駆動源としてステッピングモータ等を用いた駆動モータ２１を備えている。なお、撮像手段としては、ＣＣＤの他にＣＭＯＳ等のイメージセンサを用いてもよい。
【００２６】
信号処理部５は、撮影モード下では、撮像信号に対してノイズ除去、増幅，画像データへの変換処理を行ってから、ホワイトバランス、γ補正を行い、処理済みの画像データを順次に表示部６のＬＣＤドライバ２４に送る。ＬＣＤドライバ２４は、入力された画像データに基づいてＬＣＤパネル２５を駆動させ、撮影中の被写体像をスルー画表示させる。撮影モード下でレリーズスイッチ１２が全押し操作されると、信号処理部５は、その直後の撮影で得られる１フレーム分の画像データをデータ圧縮し、記憶部７のインタフェース回路２６を介してメモリカード２７に記憶する。なお、記憶媒体としては、メモリカード２７に限らず、各種のものを用いることができ、またデジタルカメラ２の内部メモリに画像データを記憶してもよい。
【００２７】
制御部８は、制御プログラムが記憶されているＲＯＭ３０と、この制御プログラムと、操作部３から入力される操作信号に基づいてデジタルカメラ２の各部を制御するＣＰＵ１５と、自動露出制御及びオートフォーカス制御を行なうＡＥ／ＡＦ制御回路３１と、ＣＣＤ１９を駆動制御するＣＣＤドライバ３２と、駆動モータ２１を駆動制御するモータドライバ３３等を備えている。ＡＥ／ＡＦ制御回路３１は、信号処理部５から入力される画像データを解析して、被写体輝度に適した露出値と、被写体にピントが合う撮像レンズ１８の位置であるピント位置とを算出する。本発明の制御手段は、ＣＰＵ１５，ＲＯＭ３０，モータドライバ３３等から構成される。
【００２８】
図２及び図２のＡ−Ａ断面である図３に示すように、撮像部４は、円筒形状のレンズ鏡筒３６を備えている。レンズ鏡筒３６の内部には、保持枠３７によって保持された撮像レンズ１８が組み込まれている。保持枠３７は、撮像レンズ１８を保持する円環状の部材であり、詳しくは図示しないが、外周に突設された複数本のピンがレンズ鏡筒３６の外周面に光軸方向に沿って形成された長穴に挿入され、光軸Ｓ方向の先端側に設定される先端位置Ｓ１と、後端側に設定される後端位置Ｓ２の間で移動自在とされている。
【００２９】
保持枠３７の外周面には、下方に向けて突出された連係ロッド４０が一体に設けられており、この連係ロッド４０はレンズ鏡筒３６の外周面に光軸Ｓに沿って形成された長穴４１から鏡筒外部に突出されている。連係ロッド４０の先端には、内部に雌ネジ４２ａが形成された円筒形状のナット部４２が一体に設けられており、このナット部４２は、光軸Ｓ方向に沿って配置されたネジ棒４３に螺合されている。ネジ棒４３は、駆動モータ２１によって正方向及び逆方向に回転され、この回転により撮像レンズ１８が光軸Ｓ方向に沿って移動される。この連係ロッド４０、ナット部４２、ネジ棒４３、駆動モータ２１により光学系駆動機構２０が構成される。
【００３０】
ＣＣＤ１９は、矩形の基板４６の前面４６ａに形成された凹部４６ｂ内に組み込まれ、封止ガラス４７によって封止されている。基板４６は、ネジなどによってレンズ鏡筒３６の後端に取り付けられ、ＣＣＤ１９が光軸Ｓ上に配置される。撮像レンズ１８の光路４８は、レンズ鏡筒３６の内壁面３６ａと基板４６の前面４６ａによって形成される。
【００３１】
基板４６の前面下部には、レンズ鏡筒３６の後端側に凹まされた凹部４６ｃが形成されており、この凹部４６ｃにはプラスチックで略板状に形成された収容部材５０が組み込まれる。図４（Ａ）に示すように、収容部材５０には、横方向に長い矩形状で光路４８内に通じる開口部５１と、この開口部５１に連なる凹状の収容部５２が設けられている。収容部５２は、レンズ鏡筒３６内に浸入した塵埃等の異物を開口部５１から取り込んで収容する。なお、基板４６の前面４６ａと収容部材５０の前面５０ａは同一面上に配置されているので、基板４６の前面４６ａに付着した異物が収容しやすくなる。
【００３２】
開口部５１は、プラスチック、または金属薄板等によって形成された逆流防止弁５５により開閉される。逆流防止弁５５は、開口部５１を開閉する弁板部５５ａと、この弁板部５５ａを開閉させる作用板部５５ｂと、収容部材５０の前面に設けられた一対の軸受け部５６によって回動自在に軸支される軸支部５５ｃを備えている。作用板部５５ｂの両側端には、収容部材５０の前面に当接して開口部５１を閉じる方向に弁板部５５ａを付勢する板バネ部５５ｄが設けられている。逆流防止弁５５は、レンズ鏡筒３６に設けられた切欠３６ｂ内に組み込まれる。
【００３３】
連係ロッド４０の背面側には、撮像レンズ１８が後端位置Ｓ２に移動したときに逆流防止弁５５の作用板部５５ｂを押圧する押圧ピン６０と、収容部材５０の側面に当接する摩擦部材６１が先端に取り付けられた摩擦ロッド６２が設けられている。
【００３４】
図４（Ａ）に示すように、撮像レンズ１８が後端位置Ｓ２の近傍に設定された弁開放位置Ｓ３に移動されると、押圧ピン６０は作用板部５５ｂに当接する。そして、同図（Ｂ）に示すように、撮像レンズ１８が弁開放位置Ｓ３から後端位置Ｓ２に移動することにより、押圧ピン６０は作用板部５５ｂを押圧して逆流防止弁５５を反時計方向に回動させ、弁板部５５ａにより閉じられていた開口部５１を開放する。この作用とは逆に、撮像レンズ１８が弁開放位置Ｓ３から先端位置Ｓ１側に移動されると、逆流防止弁５５は板バネ部５５ｄの付勢によって時計方向に回動し、弁板部５５ａで開口部５１を閉じる。
【００３５】
収容部材５０と摩擦部材６１は、例えば、ＰＥＴ，ＡＢＳ，ＰＣ等の異なる種類のプラスチックで形成されており、これらが擦り合わされることによって両者に静電気（摩擦電気）が発生する。この静電気により、収容部材５０は光路４８内に存在する異物を吸引して開口部５１から取り込み、収容部５２内に収容する。
【００３６】
図５は、撮影時のレンズ制御を示している。ＣＰＵ１５は、ＲＯＭ３０に記憶されているレンズ制御のプログラムに基づいて、撮像レンズ１８を先端位置Ｓ１から弁開放位置Ｓ３まで移動させ、この移動中にＡＥ／ＡＦ制御回路３１でピント位置を検出する。また、弁開放位置Ｓ３に到達した撮像レンズ１８を再び先端位置に向けて移動させ、検出されたピント位置で停止させてピント調整をする。この撮影時レンズ制御では、撮像レンズ１８は後端位置Ｓ２まで移動されないので、逆流防止弁５５の開放、収容部材５０と摩擦部材６１の摺接、レンズ鏡筒３６への振動付与は行なわれず、撮影中に光路４８内で異物が移動することはない。
【００３７】
図６は、光路４８内の異物を除去する際の異物除去制御を示している。ＣＰＵ１５は、ＲＯＭ３０に記憶されている異物除去制御のプログラムに基づいて、撮像レンズ１８を弁開放位置Ｓ３と後端位置Ｓ２の間で往復移動させ、静電気の吸引による異物除去を行なう。
【００３８】
次に、上記実施形態の作用について、図７のフローチャートを参照して説明する。デジタルカメラ２の電源がオンされると、ＣＰＵ１５はモードスイッチ１３の状態を検出して設定されている動作モードを確認する。例えば、撮影モードが選択されている場合、ＣＰＵ１５は撮影モードでデジタルカメラ２を起動させる。この撮影モードでは、撮像部４が撮像を開始し、表示部６によりスルー画が表示される。
【００３９】
光路４８内の異物を除去する異物除去制御は、例えば、設定スイッチ１４の操作によってクリーニング処理を選択することにより実行される。クリーニング処理が選択されると、撮像部４による撮像及び表示部６によるスルー画表示が中止され、撮像レンズ１８は後端位置Ｓ２と弁開放位置Ｓ３の間で往復移動される。
【００４０】
これにより、収容部材５０と摩擦部材６１が擦り合わされるので、両者の間に静電気が発生して光路４８内の異物が収容部材５０に吸引される。また、この撮像レンズ１８の移動によりレンズ鏡筒３６が振動するので、光路４８を形成する内壁面３６ａ，４６ａや、封止ガラス４７に付着していた異物が剥がれ落ち、収容部材５０に吸引されやすくなる。更に、逆流防止弁５５が複数回開放されるので、異物が収容部５２に収容されて光路４８内への逆流が防止される。
【００４１】
撮像レンズ１８の後端位置Ｓ２と弁開放位置Ｓ３の間での往復移動が所定回数に達するとクリーニング処理が終了し、撮影モードに復帰する。撮像レンズ１８は、先端位置Ｓ１に移動されるので、収容部５２に収容された異物が光路４８内に逆流することはない。
【００４２】
なお、上記実施形態では、静電気によって光路４８内の異物を吸引しているが、負圧を用いて異物を除去することもできる。以下、負圧を用いて異物を除去する実施形態について説明するが、上記実施形態と同じ構成については、同符号を用いて詳しい説明を省略する。
【００４３】
図８に示すように、本実施形態では、ＣＣＤ１９が取り付けられる基板４６に、光路４８内に通じる開口部７０、この開口部７０に連なる収容部７１、収容部７１に連なってレンズ鏡筒３６の外に通じる排出部７２が設けられている。開口部７０には、上記実施形態と同じ逆流防止弁５５が取り付けられ、排出部７２には、収容部７１内に負圧を発生させる負圧弁７３が取り付けられている。
【００４４】
図９（Ａ）に示すように、負圧弁７３は、逆流防止弁５５と同様に軸支部７３ａによって基板４６に回動自在に取り付けられている。また、一体に形成された板バネ部７３ｂによって排出部７２を閉じる方向に付勢されている。負圧弁７３の先端部７３ｃは、基板４６の端縁から突出されている。
【００４５】
保持枠３７の連係ロッド４０には、逆流防止弁５５を押圧する押圧ピン６０とともに、負圧弁７３を押圧する第２押圧ピン７６が設けられている。撮像レンズ１８が弁開放位置Ｓ３に移動されると、第２押圧ピン７６は負圧弁７３の先端部７３ｃに当接する。そして、図９（Ｂ）に示すように、撮像レンズ１８が後端位置Ｓ２まで移動されると、第２押圧ピン７６が負圧弁７３を押圧して排出部７２が開放される。このときに収容部７１内で負圧が発生し、同時に逆流防止弁５５が開放されるので、光路４８内の異物が吸引されて排出部７２から光路４８の外に排出される。
【００４６】
この実施形態においても、図６に示す異物除去動作と同様に撮像レンズ１８が弁開放位置Ｓ３と後端位置Ｓ２の間で往復動作されるので、レンズ鏡筒３６が振動して光路４８の内壁や封止ガラス４７に付着していた異物が除去しやすくなる。
【００４７】
なお、上記各実施形態では、ＣＣＤの下方に開口部、収容部、排出部を設けたが、これに限定されず、側方、上方等の他、レンズ鏡筒に設けてもよい。また、その数も１つに限定されず、複数個を設けてもよい。
【００４８】
また、摩擦部材、逆流防止弁、負圧弁等の移動、レンズ鏡筒の振動を光学系駆動機構によって行なったが、シャッタ機構のアクチュエータ等、カメラ内に組みこまれているその他のアクチュエータの駆動力を利用してもよいし、専用のアクチュエータを用いてもよい。この場合でも、収容部に静電気や負圧を発生させるタイミングと、逆流防止弁を開閉してレンズ鏡筒を振動させるタイミングを合せるのが好ましい。
【００４９】
また、ユーザがクリーニング処理を選択されたときに異物除去制御を行なうようにしたが、特定の処理に連動して自動的に作動させてもよい。例えば、デジタルカメラの電源オン／オフ時、充電時、クレイドルへのセット時、再生時等、撮影時以外であればよい。
【００５０】
また、上記実施形態は、デジタルスチルカメラに組み込む場合について説明したが、デジタルビデオカメラ、カメラ付き携帯電話等、その他の装置にも適用可能である。
【図面の簡単な説明】
【００５１】
【図１】本発明を実施したデジタルカメラの構成を示すブロック図である。
【図２】撮像部の構成を示す断面図である。
【図３】図２のＡ−Ａ断面図である。
【図４】静電気を用いた異物除去装置の構成及び動作を示す断面図である。
【図５】撮影時のレンズ制御を示すグラフである。
【図６】異物除去時のレンズ制御を示すグラフである。
【図７】異物除去制御の手順を示すフローチャートである。
【図８】別の実施形態の撮像部の構成を示す断面図である。
【図９】負圧を用いた異物除去装置の構成及び動作を示す断面図である。
【符号の説明】
【００５２】
２  デジタルカメラ
４  撮像部
８  制御部
１５  ＣＰＵ
１８  撮像レンズ
１９  ＣＣＤ
２０  光学系駆動機構
２１  駆動モータ
３０  ＲＯＭ
３３  モータドライバ
３６  レンズ鏡筒
４６  基板
４８  光路
５０  収容部材
５１，７０  開口部
５２，７１  収容部
５５  逆流防止弁
６０  押圧ピン
６１  摩擦部材
７２  排出部
７３  負圧弁
７６  第２押圧ピン
【図１】
2008147775.tif 000003
【図２】
2008147775.tif 000004
【図３】
2008147775.tif 000005
【図４】
2008147775.tif 000006
【図５】
2008147775.tif 000007
【図６】
2008147775.tif 000008
【図７】
2008147775.tif 000009
【図８】
2008147775.tif 000010
【図９】
2008147775.tif 000011